(57)【要約】【課題】リモート操作完了通知の宛先を限定することで、通信費の低減および登録ユーザの煩わしさ感の排除を実現する。【解決手段】登録ユーザＣが携帯電話機３を用いてリモート操作要求を発行すると、情報センタ２は、車両１にリモート操作要求を転送する。車両１においてリモート操作が実施されると、リモート操作完了通知が情報センタ２に送信される。情報センタ２は、登録ユーザＣの携帯電話機３にリモート操作完了通知を電子メールとして送信すると同時に、リモート操作データベース２１の各レコードのリモート操作履歴を参照して、以前に逆内容のリモート操作を要求した登録ユーザＡの携帯電話機３にもリモート操作完了通知を送信する。【選択図】図４
2006254161.tif 000002
【特許請求の範囲】
【請求項１】
１車両に対して複数のリモート操作端末が登録可能なリモート操作システムのリモート操作完了通知方法であって、
リモート操作の実施後にリモート操作完了通知を以前に逆内容のリモート操作を要求した登録ユーザのリモート操作端末に限定して送信することを特徴とするリモート操作完了通知方法。
【請求項２】
１車両に対して複数のリモート操作端末が登録可能なリモート操作システムのリモート操作完了通知方法であって、
リモート操作端末のリモート操作要求画面に、以前に実施されたリモート操作の履歴を表示することを特徴とするリモート操作完了通知方法。
【請求項３】
１車両に対して複数のリモート操作端末が登録可能なリモート操作システムのリモート操作完了通知方法であって、
リモート操作の実施後にリモート操作完了通知を車両内または車両近辺にいる登録ユーザ以外の登録ユーザのリモート操作端末に限定して送信することを特徴とするリモート操作完了通知方法。
【請求項４】
１車両に対して複数のリモート操作端末が登録可能なリモート操作システムのリモート操作完了通知方法であって、
リモート操作端末のリモート操作要求画面から、リモート操作要求の発行とともに当該リモート操作の実施後に当該リモート操作と同内容および逆内容のリモート操作を禁止するリモート操作禁止期間を設定可能とすることを特徴とするリモート操作完了通知方法。
【請求項５】
前記リモート操作端末が、ブラウザを備えるとともに電子メールが受信可能な携帯電話機であることを特徴とする請求項１ないし請求項４のいずれかに記載のリモート操作完了通知方法。
【請求項６】
１車両に対して複数のリモート操作端末が登録可能なリモート操作システムにおいて、
各種の電子制御装置に接続されたリモート操作制御マスタ，および当該リモート操作制御マスタに接続された通信モジュールを備える車両と、
リモート操作要求の送信，およびリモート操作完了通知の受信が可能なリモート操作端末と、
車両ＩＤ，リモート操作端末ＩＤ，電子メールアドレス，およびリモート操作履歴を含むレコードが蓄積されていて、リモート操作の実施時にリモート操作履歴を記録することにより、リモート操作完了通知を以前に逆内容のリモート操作を要求した登録ユーザのリモート操作端末に限定して送信する情報センタと
を有することを特徴とするリモート操作システム。
【請求項７】
１車両に対して複数のリモート操作端末が登録可能なリモート操作システムにおいて、
各種の電子制御装置に接続されたリモート操作制御マスタ，および当該リモート操作制御マスタに接続された通信モジュールを備える車両と、
リモート操作要求の送信，およびリモート操作完了通知の受信が可能なリモート操作端末と、
車両ＩＤ，リモート操作端末ＩＤ，電子メールアドレス，およびリモート操作履歴を含むレコードが蓄積されていて、リモート操作端末のリモート操作要求画面に、以前に実施されたリモート操作の履歴を表示する情報センタと
を有することを特徴とするリモート操作システム。
【請求項８】
１車両に対して複数のリモート操作端末が登録可能なリモート操作システムにおいて、
各種の電子制御装置に接続されたリモート操作制御マスタ，および当該リモート操作制御マスタに接続された通信モジュールを備える車両と、
リモート操作要求の送信，およびリモート操作完了通知の受信が可能なリモート操作端末と、
車両ＩＤ，リモート操作端末ＩＤ，電子メールアドレス，およびリモート操作完了通知要否フラグを含むレコードが蓄積されていて、車両内または車両近辺にいる登録ユーザについてはリモート操作完了通知要否フラグを否とすることにより、リモート操作完了通知を車両内または車両近辺にいる登録ユーザ以外の登録ユーザのリモート操作端末に限定して送信する情報センタと
を有することを特徴とするリモート操作システム。
【請求項９】
１車両に対して複数のリモート操作端末が登録可能なリモート操作システムにおいて、
各種の電子制御装置に接続されたリモート操作制御マスタ，および当該リモート操作制御マスタに接続された通信モジュールを備える車両と、
リモート操作要求の送信，およびリモート操作完了通知の受信が可能なリモート操作端末と、
車両ＩＤ，リモート操作端末ＩＤ，電子メールアドレス，リモート操作履歴，およびリモート操作禁止期間を含むレコードが蓄積されていて、リモート操作端末のリモート操作要求画面から、リモート操作要求の発行とともに当該リモート操作の実施後に当該リモート操作と同内容および逆内容のリモート操作を禁止するリモート操作禁止期間を設定可能とする情報センタと
を有することを特徴とするリモート操作システム。
【請求項１０】
前記リモート操作端末が、ブラウザを備えるとともに電子メールが受信可能な携帯電話機であることを特徴とする請求項６ないし請求項９のいずれかに記載のリモート操作システム。
【発明の詳細な説明】
【技術分野】
【０００１】
本発明はリモート操作完了通知方法およびリモート操作システムに関し、特に１車両に対して複数のリモート操作端末が登録可能（リモート操作可能）なリモート操作完了通知方法およびリモート操作システムに関する。
【背景技術】
【０００２】
周知のように、従来から、リモートサービスの１つとして、離れた場所から車両装備を操作できるリモート操作が提供されている（例えば、特許文献１参照）。リモート操作によって操作可能な車両装備としては、ドアのロックが既に実用化されているが、パワーウィンドウの開閉，スライディングルーフの開閉，ハザードランプの点滅等に次第に拡張される傾向にある。
【０００３】
ところで、従来のリモート操作サービスでは、１車両に対して一つのリモート操作端末（具体的には、携帯電話機）だけが登録可能（リモート操作可能）になっており、このため、リモート操作実施後のリモート操作完了通知はリモート操作を要求したリモート操作端末のみに通知されていた。
【特許文献１】特開２００２−３０５５９９号公報
【発明の開示】
【発明が解決しようとする課題】
【０００４】
従来のリモート操作サービスにおいては、リモート操作実施後のリモート操作完了通知がリモート操作を要求したリモート操作端末のみに通知されていたが、１車両に対して複数のリモート操作端末（携帯電話機）を登録可能（リモート操作可能）とした場合、リモート操作実施後のリモート操作完了通知をリモート操作を要求したリモート操作端末のみに送信したのでは、他の登録ユーザ（登録リモート操作端末の所有者，使用者等）のリモート操作端末にリモート操作状況が通知されないため、登録ユーザ間のリモート操作干渉に至るという問題点が生じるおそれがあった。
【０００５】
一方、この複数登録ユーザによるリモート操作の干渉対策として、全ての登録ユーザのリモート操作端末にリモート操作完了通知を行うようにした場合には、通信費が高くなる、登録ユーザによっては煩わしい、といった問題点が生じる。また、全ての登録ユーザのリモート操作端末にリモート操作完了通知を送信しても、リモート操作の干渉を確実に防ぐ手段はないという問題点が残る。
【０００６】
本発明の第１の課題は、上述のような事情を背景になされたものであって、リモート操作完了通知の宛先を限定することで、通信費の低減および登録ユーザの煩わしさ感の排除を実現するようにしたリモート操作完了通知方法を提供することにある。
【０００７】
本発明の第２の課題は、リモート操作端末のリモート操作要求画面に、以前に実施されたリモート操作の履歴を表示することで、登録ユーザ間のリモート操作干渉を防ぐことができるようにしたリモート操作完了通知方法を提供することにある。
【０００８】
本発明の第３の課題は、リモート操作実施後にリモート操作禁止期間を設定可能とすることにより、登録ユーザ間のリモート操作干渉を防ぐことができるようにしたリモート操作完了通知方法を提供することにある。
【０００９】
本発明の第４の課題は、リモート操作完了通知の宛先を限定することで、通信費の低減および登録ユーザの煩わしさ感の排除を実現するようにしたリモート操作システムを提供することにある。
【００１０】
本発明の第５の課題は、リモート操作端末のリモート操作要求画面に、以前に実施されたリモート操作の履歴を表示することで、登録ユーザ間のリモート操作干渉を防ぐことができるようにしたリモート操作システムを提供することにある。
【００１１】
本発明の第６の課題は、リモート操作実施後にリモート操作禁止期間を設定可能とすることにより、登録ユーザ間のリモート操作干渉を防ぐことができるようにしたリモート操作システムを提供することにある。
【課題を解決するための手段および発明の効果】
【００１２】
請求項１記載のリモート操作完了通知方法は、１車両に対して複数のリモート操作端末が登録可能なリモート操作システムのリモート操作完了通知方法であって、リモート操作の実施後にリモート操作完了通知を以前に逆内容のリモート操作を要求した登録ユーザのリモート操作端末に限定して送信することを特徴とする。請求項１記載のリモート操作完了通知方法によれば、リモート操作完了通知の宛先を、以前に逆内容のリモート操作を要求した登録ユーザのリモート操作端末に限定することで、意図しないリモート操作の干渉を防ぐとともに、通信費の上昇を抑え、かつ他の登録ユーザへの煩わしさを排除することができる。
【００１３】
請求項２記載のリモート操作完了通知方法は、１車両に対して複数のリモート操作端末が登録可能なリモート操作システムのリモート操作完了通知方法であって、リモート操作端末のリモート操作要求画面に、以前に実施されたリモート操作の履歴を表示することを特徴とする。請求項２記載のリモート操作完了通知方法によれば、リモート操作端末のリモート操作要求画面に、以前に実施されたリモート操作の履歴を表示することにより、干渉の恐れがあるリモート操作を未然に防ぐことができる。
【００１４】
請求項３記載のリモート操作完了通知方法は、１車両に対して複数のリモート操作端末が登録可能なリモート操作システムのリモート操作完了通知方法であって、リモート操作の実施後にリモート操作完了通知を車両内または車両近辺にいる登録ユーザ以外の登録ユーザのリモート操作端末に限定して送信することを特徴とする。請求項３記載のリモート操作完了通知方法によれば、リモート操作完了通知の宛先を、車両内または車両近辺にいる登録ユーザ以外の登録ユーザのリモート操作端末に限定することで、意図しないリモート操作の干渉を防ぐとともに、通信費の上昇を抑え、かつ他の登録ユーザへの煩わしさを排除することができる。
【００１５】
請求項４記載のリモート操作完了通知方法は、１車両に対して複数のリモート操作端末が登録可能なリモート操作システムのリモート操作完了通知方法であって、リモート操作端末のリモート操作要求画面から、リモート操作要求の発行とともに当該リモート操作の実施後に当該リモート操作と同内容および逆内容のリモート操作を禁止するリモート操作禁止期間を設定可能とすることを特徴とする。請求項４記載のリモート操作完了通知方法によれば、実施されたリモート操作について、登録ユーザがその状態を保持したいリモート操作禁止期間を設定可能とすることで、意図しない他の登録ユーザのリモート操作による干渉を防ぐことができる。
【００１６】
請求項５記載のリモート操作完了通知方法は、請求項１ないし請求項４のいずれかに記載のリモート操作完了通知方法であって、前記リモート操作端末が、ブラウザを備えるとともに電子メールが受信可能な携帯電話機であることを特徴とする。請求項５記載のリモート操作完了通知方法によれば、携帯電話機をリモート操作端末としてリモート操作完了通知方法をリモート操作システムに容易に適用することができる。
【００１７】
請求項６記載のリモート操作システムは、１車両に対して複数のリモート操作端末が登録可能なリモート操作システムにおいて、各種の電子制御装置に接続されたリモート操作制御マスタ，および当該リモート操作制御マスタに接続された通信モジュールを備える車両と、リモート操作要求の送信，およびリモート操作完了通知の受信が可能なリモート操作端末と、車両ＩＤ，リモート操作端末ＩＤ，電子メールアドレス，およびリモート操作履歴を含むレコードが蓄積されていて、リモート操作の実施時にリモート操作履歴を記録することにより、リモート操作完了通知を以前に逆内容のリモート操作を要求した登録ユーザのリモート操作端末に限定して送信する情報センタとを有することを特徴とする。請求項６記載のリモート操作システムによれば、リモート操作完了通知の宛先を、以前に逆内容のリモート操作を要求した登録ユーザのリモート操作端末に限定することで、意図しないリモート操作の干渉を防ぐとともに、通信費の上昇を抑え、かつ他の登録ユーザへの煩わしさを排除することができる。
【００１８】
請求項７記載のリモート操作システムは、１車両に対して複数のリモート操作端末が登録可能なリモート操作システムにおいて、各種の電子制御装置に接続されたリモート操作制御マスタ，および当該リモート操作制御マスタに接続された通信モジュールを備える車両と、リモート操作要求の送信，およびリモート操作完了通知の受信が可能なリモート操作端末と、車両ＩＤ，リモート操作端末ＩＤ，電子メールアドレス，およびリモート操作履歴を含むレコードが蓄積されていて、リモート操作端末のリモート操作要求画面に、以前に実施されたリモート操作の履歴を表示する情報センタとを有することを特徴とする。請求項７記載のリモート操作システムによれば、リモート操作端末のリモート操作要求画面に、以前に実施されたリモート操作の履歴を表示することにより、干渉の恐れがあるリモート操作を未然に防ぐことができる。
【００１９】
請求項８記載のリモート操作システムは、１車両に対して複数のリモート操作端末が登録可能なリモート操作システムにおいて、各種の電子制御装置に接続されたリモート操作制御マスタ，および当該リモート操作制御マスタに接続された通信モジュールを備える車両と、リモート操作要求の送信，およびリモート操作完了通知の受信が可能なリモート操作端末と、車両ＩＤ，リモート操作端末ＩＤ，電子メールアドレス，およびリモート操作完了通知要否フラグを含むレコードが蓄積されていて、車両内または車両近辺にいる登録ユーザについてはリモート操作完了通知要否フラグを否とすることにより、リモート操作完了通知を車両内または車両近辺にいる登録ユーザ以外の登録ユーザのリモート操作端末に限定して送信する情報センタとを有することを特徴とする。請求項８記載のリモート操作システムによれば、リモート操作完了通知の宛先を、車両内または車両近辺にいる登録ユーザ以外の登録ユーザのリモート操作端末に限定することで、意図しないリモート操作の干渉を防ぐとともに、通信費の上昇を抑え、かつ他の登録ユーザへの煩わしさを排除することができる。
【００２０】
請求項９記載のリモート操作システムは、１車両に対して複数のリモート操作端末が登録可能なリモート操作システムにおいて、各種の電子制御装置に接続されたリモート操作制御マスタ，および当該リモート操作制御マスタに接続された通信モジュールを備える車両と、リモート操作要求の送信，およびリモート操作完了通知の受信が可能なリモート操作端末と、車両ＩＤ，リモート操作端末ＩＤ，電子メールアドレス，リモート操作履歴，およびリモート操作禁止期間を含むレコードが蓄積されていて、リモート操作端末のリモート操作要求画面から、リモート操作要求の発行とともに当該リモート操作の実施後に当該リモート操作と同内容および逆内容のリモート操作を禁止するリモート操作禁止期間を設定可能とする情報センタとを有することを特徴とする。請求項９記載のリモート操作システムによれば、実施されたリモート操作について、登録ユーザがその状態を保持したいリモート操作禁止期間を設定可能とすることで、意図しない他の登録ユーザのリモート操作による干渉を防ぐことができる。
【００２１】
請求項１０記載のリモート操作システムは、請求項６ないし請求項９のいずれかに記載のリモート操作システムにおいて、前記リモート操作端末が、ブラウザを備えるとともに電子メールが受信可能な携帯電話機であることを特徴とする。請求項１０記載のリモート操作システムによれば、携帯電話機をリモート操作端末として容易にリモート操作システムを構築することができる。
【発明を実施するための最良の形態】
【００２２】
１車両に対して複数のリモート操作端末が登録可能なリモート操作システムのリモート操作完了通知方法であって、リモート操作完了通知の宛先を限定することで、通信費の低減および登録ユーザの煩わしさ感の排除を実現する。
【００２３】
以下、本発明の実施の形態を、図面を参照して説明する。
【実施例１】
【００２４】
図１は、本発明の実施例１に係るリモート操作完了通知方法が適用されるリモート操作システムの全体構成図である。このリモート操作システムは、車両１と、情報センタ２と、リモート操作端末である携帯電話機３と、これらを相互に接続する携帯電話網４とから、その主要部が構成されている。
【００２５】
車両１は、ボデー用電子制御装置１１ａ，認証用電子制御装置１１ｂ，ドア用電子制御装置１１ｃ等の複数の電子制御装置１１と、各電子制御装置１１に中速のＣＡＮ（Controller Area Network）等の車載ＬＡＮ（Local Area Network）で接続されたリモート操作制御マスタ１２と、リモート操作制御マスタ１２とＵＡＲＴ（Universal Asynchronous Receiver Transmitter）等のバスを介して接続されたＤＣＭ（Data Communication Module）等の通信モジュール１３と、通信モジュール１３とＵＳＢ（Universal Serial Bus）等のバスを介して接続されるとともに高速のＣＡＮ等の車載ＬＡＮに接続されたエレクトロマルチビジョン（ＥＭＶ）１４と、通信モジュール１３に接続されたアンテナ１５とを含んで構成されている。
【００２６】
情報センタ２には、リモート操作データベース２１が設けられており、このリモート操作データベース２１には、図２に示すように、車両ＩＤ（IDentification），携帯電話機ＩＤ，登録ユーザ名，電子メールアドレス，およびリモート操作履歴からなるレコードが蓄積される。車両ＩＤとしては、車両番号，エントリーキー番号等を用いることができる。携帯電話機ＩＤとしては、携帯電話番号，サービス登録ユーザ番号等を用いることができる。登録ユーザ名は、必須項目ではなく、省略することができる。電子メールアドレスは、携帯電話機３の電子メールアドレスである。リモート操作履歴には、各種リモート操作毎に最新のリモート操作レコードが蓄積されていればよい。なお、リモート操作履歴は、無期限に記憶するのではなく、当該リモート操作が発生してから一定時間が経過するまでの間や、車両１のイグニッションキー（図示せず）が次にアクセサリポジションやオンポジションにされるまでの間（１トリップの間）等の一定の条件の間だけ記憶するようにすればよい。
【００２７】
携帯電話機３は、ブラウザを有していてウェッブ画面を操作可能であり、かつ電子メールを送受信可能な携帯電話機である。なお、リモート操作端末は携帯電話機３に限定されるものではない。例えば、携帯電話機３と同様に電話回線網への接続が可能なＰＤＡ（Personal Digital  Assistants）やＰＣ（Personal Computer）等であってもよい。
【００２８】
図３は、実施例１における携帯電話機３に表示されるリモート操作受付画面の一例を示す図である。このリモート操作受付画面には、ドアロック，ドアアンロック，パワーウィンドウ（ＰＷ）閉，パワーウィンドウ（ＰＷ）開，スライディングルーフ（ＳＲ）閉，スライディングルーフ（ＳＲ）開，ハザード点滅，およびハザード消灯の各リモート操作が選択的に要求可能に表示されている。
【００２９】
携帯電話網４は、例えば、ＣＤＭＡ（Code Division Multiple Access）方式の携帯電話網である。なお、携帯電話網４は、ＰＨＳ（Personal Handy Phone）網，無線ＬＡＮ（Local Area Network）等の他の無線通信網や公衆回線網であってもよい。
【００３０】
次に、本実施例１に係るリモート操作完了通知方法の手順について、図４のタイミングチャートを用いて詳細に説明する。
【００３１】
いま、情報センタ２のリモート操作データベース２１には、図２に例示するように、１台の車両１（同一の車両ＩＤ）に対して３つの携帯電話機３の携帯電話機ＩＤ，登録ユーザ名，および電子メールアドレスが事前に登録されているものとする。３つの携帯電話機３の登録ユーザ名は、登録ユーザＡ，登録ユーザＢおよび登録ユーザＣとする。なお、車両１の通信モジュール１３の通信アドレス（携帯電話番号等）は、情報センタ２に別途登録されているものとする。
【００３２】
ここで、例えば、登録ユーザＣが携帯電話機３から車両ＩＤ，携帯電話機ＩＤ等の認証を経て情報センタ２にアクセスし、図３に示すリモート操作受付画面を呼び出し、所望のリモート操作を選択して携帯電話網４を経由して車両１に対するリモート操作要求を送信したとする。
【００３３】
情報センタ２は、リモート操作要求を受信すると、このリモート操作要求を車両ＩＤの車両１に携帯電話網４を経由して転送する。
【００３４】
車両１では、アンテナ１５を通じて通信モジュール１３がリモート操作要求を受信し、リモート操作制御マスタ１２に渡す。リモート操作制御マスタ１２は、リモート操作要求対象のリモート操作を担当する電子制御装置１１にリモート操作要求を渡す。リモート操作要求を渡された電子制御装置１１は、リモート操作を実施する。例えば、リモート操作要求がドアロックの要求であった場合、ドア用電子制御装置１１ｃがドアをロックする。また、リモート操作要求がドアアンロックの要求であった場合、ドア用電子制御装置１１ｃがドアをアンロックする。リモート操作要求がパワーウィンドウ（ＰＷ）閉の要求であった場合，パワーウィンドウ（ＰＷ）開の要求であった場合，スライディングルーフ（ＳＲ）閉の要求であった場合，スライディングルーフ（ＳＲ）開の要求であった場合，ハザード点滅の場合，およびハザード消灯の場合にも、それぞれ該当する電子制御装置１１がリモート操作を実施する。車両１においてリモート操作が実施されると、リモート操作制御マスタ１２は、リモート操作完了通知を通信モジュール１３からアンテナ１５を通じて携帯電話網４を経由して情報センタ２に送信する。
【００３５】
情報センタ２は、携帯電話網４を経由してリモート操作完了通知を受信すると、リモート操作データベース２１のリモート操作要求元のレコードに当該リモート操作の履歴を記録し、リモート操作要求元の携帯電話機３にリモート操作完了通知を転送する。例えば、図４の例の場合、登録ユーザＣの携帯電話機３にリモート操作完了通知を電子メールとして送信する。これと同時に、情報センタ２は、リモート操作要求元のレコードのリモート操作履歴を参照して、以前に逆内容のリモート操作を要求した登録ユーザの携帯電話機３にもリモート操作完了通知を電子メールとして送信する。例えば、図４の例の場合、以前に逆内容のリモート操作を要求した登録ユーザが登録ユーザＡであれば、登録ユーザＡの携帯電話機３にだけリモート操作完了通知を送信して、登録ユーザＢの携帯電話機３にはリモート操作完了通知を送信しない。
【００３６】
リモート操作完了通知を電子メールとして送信された登録ユーザＡの携帯電話機３では、登録ユーザＡが以前にリモート操作を要求したリモート操作と逆内容のリモート操作が他の登録ユーザにより実施されたことを知ることができる。一方、リモート操作完了通知を電子メールとして送信されなかった登録ユーザＢの携帯電話機３では、登録ユーザＢが煩わしさを感じることがなく、かつ電子メールの受信による通信費の上昇を抑えることができる。
【実施例２】
【００３７】
本発明の実施例２に係るリモート操作完了通知方法が適用されるリモート操作システムは、図１に示した実施例１に係るリモート操作完了通知方法が適用されるリモート操作システムと同様に構成されているので、その詳しい説明を割愛する。
【００３８】
また、本実施例２に係るリモート操作完了通知方法が適用されるリモート操作システムの情報センタ２に設けられているリモート操作データベース２１には、図２に示したのと同様のレコードが蓄積されているものとする。
【００３９】
図５は、本実施例２における携帯電話機３に表示されるリモート操作受付画面の一例を示す図である。このリモート操作受付画面には、ドアロック，ドアアンロック，パワーウィンドウ（ＰＷ）閉，パワーウィンドウ（ＰＷ）開，スライディングルーフ（ＳＲ）閉，スライディングルーフ（ＳＲ）開，ハザード点滅，およびハザード消灯の各リモート操作が選択可能に表示されているとともに、操作内容（ここでは、ドアロック），および操作日付時刻からなる過去のリモート操作履歴が表示されている。
【００４０】
次に、本実施例２に係るリモート操作完了通知方法の手順について、図６のタイミングチャートを用いて詳細に説明する。
【００４１】
図６のタイミングチャートと図４のタイミングチャートとを比較すると分かるように、携帯電話機３からのリモート操作要求の送信，情報センタ２によるリモート操作要求の転送，車両１における操作およびリモート操作完了通知，情報センタ２による要求元の携帯電話機３および以前に逆内容のリモート操作を要求した携帯電話機３へのリモート操作完了通知の各処理は、実施例１に係るリモート操作完了方法の場合と同様である。よって、その詳しい説明を省略する。
【００４２】
登録ユーザＣによる携帯電話機３からのリモート操作要求に基づく一連の処理が終了した後に、図６に例示するように、登録ユーザＢが携帯電話機３から車両ＩＤ，携帯電話機ＩＤ等の認証を経て情報センタ２にアクセスし、図５に示すリモート操作受付画面を呼び出すと、リモート操作受付画面中には、車両１に対する過去のリモート操作履歴が表示される。これを見ることにより、登録ユーザＢは、自身が車両１に対して要求しようとしていたリモート操作がドアロックであった場合には、他の登録ユーザにより既にドアロックが行われていることを知ることができ、重ねて車両１のドアロックを要求したり、誤って車両１のドアロックの解除を要求したりすることを思いとどまることができる。よって、意図しない他の登録ユーザのリモート操作による干渉を防ぐことができる。
【実施例３】
【００４３】
本発明の実施例３に係るリモート操作完了通知方法が適用されるリモート操作システムは、図１に示した実施例１に係るリモート操作完了通知方法が適用されるリモート操作システムと同様に構成されているので、詳しい説明を割愛する。
【００４４】
また、本実施例３における携帯電話機３に表示されるリモート操作受付画面も、図３に示したリモート操作受付画面と同様に構成されているものとする。
【００４５】
図７は、本実施例３に係るリモート操作完了通知方法が適用されるリモート操作システムの情報センタ２に設けられているリモート操作データベース２１を示す図である。このリモート操作データベース２１には、車両ＩＤ，携帯電話機ＩＤ，登録ユーザ名，電子メールアドレス，およびリモート操作完了通知要否フラグからなるレコードが蓄積される。リモート操作完了通知要否フラグは、車両１内または車両１の近辺に登録ユーザがいるかどうかをキーレスエントリーシステムの近距離無線通信用電波，車載カメラによる画像認識等で検出して車両１からの要求で要否が随時更新されるようになっているものとする。
【００４６】
次に、本実施例３に係るリモート操作完了通知方法の手順について、図８のタイミングチャートを用いて詳細に説明する。
【００４７】
いま、情報センタ２のリモート操作データベース２１には、図７に例示するように、１台の車両１（同一の車両ＩＤ）に対して３つの携帯電話機３の携帯電話機ＩＤ，登録ユーザ名，および電子メールアドレスが事前に登録されているものとする。３つの携帯電話機３の登録ユーザ名は、登録ユーザＡ，登録ユーザＢおよび登録ユーザＣとする。なお、車両１の通信モジュール１３の通信アドレス（携帯電話番号等）は、情報センタ２に別途登録されているものとする。
【００４８】
また、車両１では、車両１内または車両１の近辺に登録ユーザがいるかどうかをキーレスエントリーシステムの近距離無線通信用電波，車載カメラによる画像認識等で検出しているものとする。いま、例えば、登録ユーザＢが車両１内または車両１の近辺にいるものとする。このため、車両１からリモート操作完了通知要否フラグを否とする要求が携帯電話網４を経由して情報センタ２に送信され、情報センタ２は、リモート操作データベース２１の登録ユーザＢのレコード中のリモート操作完了通知要否フラグを否としているものとする。
【００４９】
ここで、例えば、登録ユーザＣが携帯電話機３から車両ＩＤ，携帯電話機ＩＤ等の認証を経て情報センタ２にアクセスし、図３に示すリモート操作受付画面を呼び出し、所望のリモート操作を選択して携帯電話網４を経由して車両１に対するリモート操作要求を送信したとする。
【００５０】
情報センタ２は、リモート操作要求を受信すると、このリモート操作要求を車両ＩＤの車両１に携帯電話網４を経由して転送する。
【００５１】
車両１では、アンテナ１５を通じて通信モジュール１３がリモート操作要求を受信し、リモート操作制御マスタ１２に渡す。リモート操作制御マスタ１２は、リモート操作要求対象のリモート操作を担当する電子制御装置１１にリモート操作要求を渡す。リモート操作要求を渡された電子制御装置１１は、リモート操作を実施する。例えば、リモート操作要求がドアロックの要求であった場合、ドア用電子制御装置１１ｃがドアをロックする。また、リモート操作要求がドアアンロックの要求であった場合、ドア用電子制御装置１１ｃがドアをアンロックする。リモート操作要求がパワーウィンドウ（ＰＷ）閉の要求であった場合，パワーウィンドウ（ＰＷ）開の要求であった場合，スライディングルーフ（ＳＲ）閉の要求であった場合，スライディングルーフ（ＳＲ）開の要求であった場合，ハザード点滅の場合，およびハザード消灯の場合にも、それぞれ該当する電子制御装置１１がリモート操作を実施する。車両１においてリモート操作が実施されると、リモート操作制御マスタ１２は、リモート操作完了通知を通信モジュール１３からアンテナ１５を通じて携帯電話網４を経由して情報センタ２に送信する。
【００５２】
情報センタ２は、携帯電話網４を経由してリモート操作完了通知を受信すると、リモート操作要求元の携帯電話機３にリモート操作完了通知を転送する。例えば、図８の例の場合、登録ユーザＣの携帯電話機３にリモート操作完了通知を電子メールとして送信する。これと同時に、情報センタ２は、リモート操作データベース２１の各レコードのリモート操作完了通知要否フラグを参照して、リモート操作完了通知要否フラグが要の登録ユーザの携帯電話機３にもリモート操作完了通知を電子メールとして送信する。例えば、図８の例の場合、登録ユーザＡのリモート操作完了通知要否フラグが要、登録ユーザＢのリモート操作完了通知要否フラグが否であれば、登録ユーザＡの携帯電話機３にだけリモート操作完了通知を送信して、登録ユーザＢの携帯電話機３にはリモート操作完了通知を送信しない。
【００５３】
リモート操作完了通知を電子メールとして送信された携帯電話機３の登録ユーザＡは、車両１から離れた位置にいるが、車両１において他の登録ユーザによりリモート操作が実施されたことを知ることができる。一方、リモート操作完了通知を電子メールとして送信されなかった登録ユーザＢは、車両１内または車両１の近辺にいるので、車両１において他の登録ユーザによりリモート操作が実施されたことを車両装備により知ることができ、電子メールの受信による煩わしさを感じることがなく、かつ通信費の上昇を抑えることができる。
【実施例４】
【００５４】
本発明の実施例４に係るリモート操作完了通知方法が適用されるリモート操作システムは、図１に示した実施例１に係るリモート操作完了通知方法が適用されるリモート操作システムと同様に構成されているので、その詳しい説明を割愛する。
【００５５】
図９に示すように、情報センタ２のリモート操作データベース２１には、車両ＩＤ，携帯電話機ＩＤ，登録ユーザ名，電子メールアドレス，リモート操作履歴，およびリモート操作禁止期間からなるレコードが蓄積される。リモート操作禁止期間は、例えば、所望の日付時刻から所望の日付時刻までの任意の時間範囲で設定可能であるものとする。
【００５６】
図１０は、本実施例４における携帯電話機３に表示されるリモート操作受付画面の一例を示す図である。このリモート操作受付画面には、ドアロック，ドアアンロック，パワーウィンドウ（ＰＷ）閉，パワーウィンドウ（ＰＷ）開，スライディングルーフ（ＳＲ）閉，スライディングルーフ（ＳＲ）開，ハザード点滅，およびハザード消灯の各リモート操作が選択可能に表示されているとともに、選択されたリモート操作に対するリモート操作禁止期間が設定可能に表示されている。
【００５７】
次に、本実施例４に係るリモート操作完了通知方法の手順について、図１１のタイミングチャートを用いて詳細に説明する。
【００５８】
いま、情報センタ２のリモート操作データベース２１には、図９に例示するように、１台の車両１（同一の車両ＩＤ）に対して３つの携帯電話機３の携帯電話機ＩＤ，登録ユーザ名，および電子メールアドレスが事前に登録されているものとする。３つの携帯電話機３の登録ユーザ名は、登録ユーザＡ，登録ユーザＢおよび登録ユーザＣとする。なお、車両１の通信モジュール１３の通信アドレス（携帯電話番号等）は、情報センタ２に別途登録されているものとする。
【００５９】
ここで、例えば、登録ユーザＣが携帯電話機３から車両ＩＤ，携帯電話機ＩＤ等の認証を経て情報センタ２にアクセスし、図１０に示すリモート操作受付画面を呼び出し、所望のリモート操作を選択するとともに、選択されたリモート操作に対するリモート操作禁止期間を設定して携帯電話網４を経由して車両１に対するリモート操作要求を送信したとする。
【００６０】
情報センタ２は、リモート操作禁止期間が設定されたリモート操作要求を受信すると、このリモート操作要求を車両ＩＤの車両１に携帯電話網４を経由して転送する。
【００６１】
車両１では、アンテナ１５を通じて通信モジュール１３がリモート操作禁止期間が設定されたリモート操作要求を受信し、リモート操作制御マスタ１２に渡す。リモート操作制御マスタ１２は、リモート操作要求対象のリモート操作を担当する電子制御装置１１にリモート操作要求を渡す。リモート操作要求を渡された電子制御装置１１は、リモート操作を実施する。例えば、リモート操作要求がドアロックの要求であった場合、ドア用電子制御装置１１ｃがドアをロックする。また、リモート操作要求がドアアンロックの要求であった場合、ドア用電子制御装置１１ｃがドアをアンロックする。リモート操作要求がパワーウィンドウ（ＰＷ）閉の要求であった場合，パワーウィンドウ（ＰＷ）開の要求であった場合，スライディングルーフ（ＳＲ）閉の要求であった場合，スライディングルーフ（ＳＲ）開の要求であった場合，ハザード点滅の場合，およびハザード消灯の場合にも、それぞれ該当する電子制御装置１１がリモート操作を実施する。車両１においてリモート操作が実施されると、リモート操作制御マスタ１２は、リモート操作禁止期間が設定されたリモート操作完了通知を通信モジュール１３からアンテナ１５を通じて携帯電話網４を経由して情報センタ２に送信する。
【００６２】
情報センタ２は、携帯電話網４を経由してリモート操作禁止期間が設定されたリモート操作完了通知を受信すると、リモート操作データベース２１のリモート操作要求元のレコードに当該リモート操作の履歴を記録するとともにリモート操作禁止期間を設定し、リモート操作要求元の携帯電話機３にリモート操作完了通知を転送する。例えば、図１１の例の場合、登録ユーザＣの携帯電話機３にリモート操作完了通知を電子メールとして送信する。これと同時に、情報センタ２は、リモート操作データベース２１の各レコードのリモート操作履歴を参照して、以前に逆内容のリモート操作を要求した登録ユーザの携帯電話機３にもリモート操作完了通知を電子メールとして送信する。例えば、図１１の例の場合、以前に逆内容のリモート操作を要求した登録ユーザが登録ユーザＡであれば、登録ユーザＡの携帯電話機３にだけリモート操作完了通知を送信して、登録ユーザＢの携帯電話機３にはリモート操作完了通知を送信しない。
【００６３】
リモート操作完了通知を電子メールとして送信された登録ユーザＡの携帯電話機３では、登録ユーザＡが以前にリモート操作を要求したリモート操作と逆内容のリモート操作が他の登録ユーザにより実施されたことを知ることができる。一方、リモート操作完了通知を電子メールとして送信されなかった登録ユーザＢの携帯電話機３では、登録ユーザＢが煩わしさを感じることがなく、かつ電子メールの受信による通信費の上昇を抑えることができる。
【００６４】
登録ユーザＣによる携帯電話機３からのリモート操作要求に基づく一連の処理が終了した後に、図１１に例示するように、登録ユーザＢが携帯電話機３から車両ＩＤ，携帯電話機ＩＤ等の認証を経て情報センタ２にアクセスし、図１０に示すリモート操作受付画面を呼び出すと、リモート操作受付画面中には、車両１に対するリモート操作禁止期間が表示される。これを見ることにより、登録ユーザＢは、自身が車両１に対して要求しようとしているリモート操作がドアロックであった場合には、他の登録ユーザＣにより既にドアロックのリモート操作禁止期間の設定が行われていることを知ることができ、重ねて車両１のドアロックを要求したり、誤って車両１のドアロックの解除を要求したりすることを思いとどまることができる。
【００６５】
また、あえて、登録ユーザＢが、携帯電話機３から車両１に対してドアロックのリモート操作を要求したとしても、情報センタ２は、リモート操作要求を車両１に転送する前段でリモート操作データベース２１の各レコードを参照して、リモート操作禁止期間に重なるリモート操作要求を車両１に転送することを拒絶する。これにより、車両１に対して同内容または逆内容のリモート操作を重ねて要求したり、誤って同内容または逆内容のリモート操作を解除したりすることを未然に防止することができる。よって、意図しない他の登録ユーザのリモート操作による干渉を防ぐことができる。
【００６６】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００６７】
【図１】本発明の実施例１に係るリモート操作完了通知方法が適用されるリモート操作システムの構成を示すブロック図。
【図２】実施例１における情報センタのリモート操作データベースに蓄積されているレコードを示す図。
【図３】実施例１における携帯電話機に表示されるリモート操作受付画面の一例を示す図。
【図４】実施例１に係るリモート操作完了通知方法の手順を説明するタイミングチャート。
【図５】実施例２における携帯電話機に表示されるリモート操作受付画面の一例を示す図。
【図６】実施例２に係るリモート操作完了通知方法の手順を説明するタイミングチャート。
【図７】実施例３における情報センタのリモート操作データベースに蓄積されているレコードを示す図。
【図８】実施例３に係るリモート操作完了通知方法の手順を説明するタイミングチャート。
【図９】実施例４における情報センタのリモート操作データベースに蓄積されているレコードを示す図。
【図１０】実施例４における携帯電話機に表示されるリモート操作受付画面の一例を示す図。
【図１１】実施例４に係るリモート操作完了通知方法の手順を説明するタイミングチャート。
【符号の説明】
【００６８】
１  車両
２  情報センタ
３  携帯電話機（リモート操作端末）
４  携帯電話網
１１ａ，１１ｂ，１１ｃ  電子制御装置
１２  リモート操作制御マスタ
１３  通信モジュール
１４  エレクトロマルチビジョン（ＥＭＶ）
１５  アンテナ
２１  リモート操作データベース
【図１】
2006254161.tif 000003
【図２】
2006254161.tif 000004
【図３】
2006254161.tif 000005
【図４】
2006254161.tif 000006
【図５】
2006254161.tif 000007
【図６】
2006254161.tif 000008
【図７】
2006254161.tif 000009
【図８】
2006254161.tif 000010
【図９】
2006254161.tif 000011
【図１０】
2006254161.tif 000012
【図１１】
2006254161.tif 000013